(57)【要約】【課題】ケーブルと嵌合用コネクタとの電気的な接続の確実性を向上できるコネクタを提供する。【解決手段】複数の電気接触端子は、長さ方向における一方側に設けられ、支持部材に挿入されると共に当該支持部材で支持されたケーブルと接触可能な第１の接触部と、長さ方向における他方側に設けられ、嵌合用コネクタの端子部と接触可能な第２の接触部と、を備る。ベース部材は、第１の受容部と第２の受容部との間に形成される隔壁部と、隔壁部から、第２の受容部内に向かって、長さ方向における他方側へ突出する突出壁部と、を備える。突出壁部及び隔壁部には、長さ方向に貫通し、嵌合用コネクタの端子部を受容可能な複数のチャネル部が形成され、複数のチャネル部は、長さ方向と直交する幅方向において互いに離間するように形成され複数のチャネル部には、複数の電気接触端子の第２の接触部が収容される。【選択図】図５
2017183179.tif 000002
【特許請求の範囲】
【請求項１】
ケーブルと嵌合用コネクタとを電気的に接続するコネクタであって、
前記ケーブルを支持可能な支持部材と、
長さ方向における一方側に設けられ、前記支持部材を受容可能な第１の受容部、及び前記長さ方向における他方側に設けられ、前記嵌合用コネクタを受容可能な第２の受容部を備えるベース部材と、
上側から前記ベース部材に取り付け可能であり、前記第１の受容部に受容された前記支持部材を覆うカバー部材と、
前記ケーブル及び前記嵌合用コネクタの端子部に接触可能な複数の電気接触端子と、を備え、
複数の前記電気接触端子は、
前記長さ方向における一方側に設けられ、前記支持部材に挿入されると共に当該支持部材で支持された前記ケーブルと接触可能な第１の接触部と、
前記長さ方向における他方側に設けられ、前記嵌合用コネクタの前記端子部と接触可能な第２の接触部と、を備え、
前記ベース部材は、
前記第１の受容部と前記第２の受容部との間に形成される隔壁部と、
前記隔壁部から、前記第２の受容部内に向かって、前記長さ方向における他方側へ突出する突出壁部と、を備え、
前記突出壁部及び前記隔壁部には、前記長さ方向に貫通し、前記嵌合用コネクタの前記端子部を受容可能な複数のチャネル部が形成され、
複数の前記チャネル部は、前記長さ方向と直交する幅方向において互いに離間するように形成され、
複数の前記チャネル部には、複数の前記電気接触端子の前記第２の接触部が収容される、コネクタ。
【請求項２】
前記突出壁部の先端には、前記チャネル部の開口部が形成されており、
前記開口部の周縁部には、テーパーが形成されている、請求項１に記載のコネクタ。
【請求項３】
前記第２の受容部は、前記長さ方向における前記他方側から前記一方側を見た時に、前記突出壁部を取り囲むように配置され、前記長さ方向へ延びる周壁部を備える、請求項１又は２に記載のコネクタ。
【請求項４】
前記電気接触端子は、前記第２の接触部から前記長さ方向における前記一方側へ延びる中継部を備え、前記第１の接触部は、前記中継部の前記長さ方向における一端側から上方へ向かって屈曲し、
前記支持部材は、前記第１の接触部を挿通させる上下方向に延びる貫通孔を有する、請求項１〜３の何れか一項に記載のコネクタ。
【請求項５】
前記第１の受容部は、前記隔壁部から前記長さ方向における前記一方側へ延びる底壁部を備え、
前記第１の受容部に受容された状態の前記支持部材は、前記底壁部から上方へ離間した位置に配置され、
前記第１の受容部に受容された状態の前記支持部材と前記底壁部との間には、底側空間部が形成される、請求項１〜４の何れか一項に記載のコネクタ。
【請求項６】
前記支持部材の上面には、前記長さ方向に沿って延びる溝部が幅方向に複数形成される、請求項１〜５の何れか一項に記載のコネクタ。
【請求項７】
前記カバー部材は、前記長さ方向において前記第２の受容部と対応する位置まで延び、
前記カバー部材と前記第２の受容部との間、及び前記カバー部材と前記支持部材との間には、前記ケーブルを収容可能な上側空間部が形成される、請求項１〜６の何れか一項に記載のコネクタ。
【請求項８】
ケーブルと嵌合用コネクタとを電気的に接続するコネクタであって、
長さ方向における一方側から他方側へ延びるハウジングと、
前記ケーブル及び前記嵌合用コネクタの端子部に接触可能な複数の電気接触端子と、を備え、
前記ハウジングは、
長さ方向に延びて前記ケーブルを収容する上側空間部と、
前記上側空間部より下側に配置され、前記長さ方向へ延びる底側空間部と、
上下方向に延びて、前記上側空間部及び前記底側空間部を連通し、前記長さ方向と直交する幅方向へ複数形成される貫通孔と、
前記底側空間部の前記長さ方向における前記他方側の端部から、当該長さ方向における前記他方側へ貫通する複数のチャネル部と、を画成し、
複数の前記チャネル部は、前記幅方向において互いに離間するように形成され、
複数の前記電気接触端子は、
前記貫通孔を貫通すると共に前記上側空間部に突出する、前記ケーブルと接触可能な第１の接触部と、
前記チャネル部に配置され、前記嵌合用コネクタの前記端子部と接触可能な第２の接触部と、
前記第２の接触部から前記底側空間部内を前記長さ方向における前記一方側へ延びて、前記長さ方向における一端側から前記第１の接触部が上方へ向かって屈曲する中継部と、を備える、コネクタ。
【発明の詳細な説明】
【技術分野】
【０００１】
本発明の一側面は、コネクタに関する。
【背景技術】
【０００２】
ケーブルと嵌合用コネクタとを電気的に接続するコネクタとして、従来から様々な種類のものが知られている。このようなコネクタに用いられる電気接触端子として、下記特許文献１に記載のものが用いられる場合がある。このような電気接触端子は、コネクタに複数設けられているため、相手側の嵌合用コネクタを接続する際は、嵌合用コネクタの端子部が対応する電気接触端子に接続される。
【先行技術文献】
【特許文献】
【０００３】
【特許文献１】特開２００３−１７３８３５号公報
【発明の概要】
【発明が解決しようとする課題】
【０００４】
ここで、上述の特許文献１に示されるような電気接触端子を用いるコネクタにおいては、例えば、嵌合用コネクタの端子部が、対応する電子接触端子の隣りに配置される他の電気接触端子に接触するなどによって、ケーブルと嵌合用コネクタとの電気的接続の確実性が低下する場合があった。従って、ケーブルと嵌合用コネクタとの電気的な接続の確実性を向上できるコネクタが要請されていた。
【課題を解決するための手段】
【０００５】
本発明の一側面に係るコネクタは、ケーブルと嵌合用コネクタとを電気的に接続するコネクタであって、ケーブルを支持可能な支持部材と、長さ方向における一方側に設けられ、支持部材を受容可能な第１の受容部、及び長さ方向における他方側に設けられ、嵌合用コネクタを受容可能な第２の受容部を備えるベース部材と、上側からベース部材に取り付け可能であり、第１の受容部に受容された支持部材を覆うカバー部材と、ケーブル及び嵌合用コネクタの端子部に接触可能な複数の電気接触端子と、を備え、複数の電気接触端子は、長さ方向における一方側に設けられ、支持部材に挿入されると共に当該支持部材で支持されたケーブルと接触可能な第１の接触部と、長さ方向における他方側に設けられ、嵌合用コネクタの端子部と接触可能な第２の接触部と、を備え、ベース部材は、第１の受容部と第２の受容部との間に形成される隔壁部と、隔壁部から、第２の受容部内に向かって、長さ方向における他方側へ突出する突出壁部と、を備え、突出壁部及び隔壁部には、長さ方向に貫通し、嵌合用コネクタの端子部を受容可能な複数のチャネル部が形成され、複数のチャネル部は、長さ方向と直交する幅方向において互いに離間するように形成され複数のチャネル部には、複数の電気接触端子の第２の接触部が収容される。
【０００６】
このような側面においては、ベース部材の第１の受容部に受容された支持部材及びカバー部材で支持されたケーブルは、電気接触端子の第１の接触部と接触する。ベース部材の第２の受容部に受容された嵌合用コネクタの端子部は、電気接触端子の第２の接触部と接触する。これにより、ケーブルと嵌合用コネクタとは、コネクタに支持された状態で電気的に接続される。ここで、嵌合用コネクタを受容可能な第２の受容部の内部には、突出壁部が配置される。また、突出壁部及び隔壁部には、長さ方向に貫通し、嵌合用コネクタの端子部を受容可能な複数のチャネル部が形成される。チャネル部には、複数の電気接触端子の第２の接触部が収容される。このように構成された複数のチャネル部は、長さ方向と直交する幅方向において互いに離間するように形成される。すなわちチャネル部同士は突出壁部の壁によって互いに空間的に隔てられた状態となる。従って、それぞれのチャネル部に受容された嵌合用コネクタの端子部は、突出壁部の壁によって互いに隔てられる。このような構成により、各端子部同士が電気的に接触または近接することが防止され、ケーブルと嵌合用コネクタとの電気的な接続の確実性を向上できる。
【発明の効果】
【０００７】
本発明の一側面によれば、ケーブルと嵌合用コネクタとの電気的な接続の確実性を向上できる。
【図面の簡単な説明】
【０００８】
【図１】実施形態に係るコネクタを示す斜視図である。
【図２】実施形態に係るコネクタを示す斜視図である。
【図３】実施形態に係るコネクタの展開斜視図である。
【図４】実施形態に係るコネクタの展開斜視図である。
【図５】実施形態に係るコネクタの断面斜視図である。
【図６】実施形態に係るコネクタの展開斜視図である。
【図７】実施形態に係るコネクタの支持部材及び電気接触端子の斜視図である。
【図８】実施形態に係るコネクタアの電気接触端子の平面図である。
【図９】実施形態に係るコネクタに接続される嵌合用コネクタの斜視図である。
【図１０】嵌合用コネクタ及びケーブルを電気的に接続した状態のコネクタの斜視図である。
【図１１】ケーブル及び嵌合用コネクタが接続されたコネクタを示す概念図である。
【発明を実施するための形態】
【０００９】
以下、添付図面を参照して、本発明の実施形態について詳細に説明する。なお、以下の説明において、同一又は相当要素には同一符号を付し、重複する説明を省略する。また「Ｘ軸方向」、「Ｙ軸方向」及び「Ｚ軸方向」の語は、図示する方向に基づいており便宜的なものである。
【００１０】
図１〜６及び図１０に示すように、コネクタ１００は、ケーブル１０１と嵌合用コネクタ１０２と、を電気的に接続するためのものである。本実施形態では、四本のケーブル１０１が並べられたものを対象とした場合について説明する。一本当たりのケーブル１０１は、導電性の材料で構成される導体部を絶縁体で構成される被覆部で被覆することによって構成される。コネクタ１００は、長さ方向における一方側から他方側へ延びるハウジング２と、ケーブル１０１と嵌合用コネクタ１０２と接触して電気的に接続する複数の電気接触端子３と、を備えている。また、ハウジング２は、ベース部材４と、支持部材６と、カバー部材７と、を備える。なお、本実施形態においては、ハウジング２の長さ方向をＸ軸方向とし、当該長さ方向の一方をＸ軸方向正側とし、他方をＸ軸方向負側とする。また、ハウジング２の上下方向をＺ軸方向とし、上側をＺ軸方向正側とし、下側をＺ軸方向負側とする。また、Ｘ軸及びＺ軸に垂直な幅方向をＹ軸方向とし、当該方向の一方をＹ軸方向正側とし、他方をＹ軸方向負側とする。
【００１１】
［ベース部材］
ベース部材４は、Ｚ軸方向負側、すなわちコネクタ１００の底側において、支持部材６、電気接触端子３及びカバー部材７を支持する部材である。ベース部材４は、Ｘ軸方向正側（長さ方向における一方側）に設けられ、支持部材６を受容可能な第１の受容部１１と、Ｘ軸方向負側（長さ方向における他方側）に設けられ、嵌合用コネクタ１０２を受容可能な第２の受容部１２と、第１の受容部１１と第２の受容部１２との間に形成される隔壁部１３と、を備えている。
【００１２】
隔壁部１３は、ＹＺ軸平面上に広がり、且つ、Ｙ軸方向に延びる長方形状の壁部である。また、隔壁部１３は、Ｘ軸方向正側に前壁面１３ａを有し、Ｘ軸方向負側に後壁面１３ｂを有する（図５参照）。隔壁部１３は、Ｘ軸方向において、コネクタ１００の中央位置付近に配置されている。隔壁部１３の前壁面１３ａ側には、第１の受容部１１を構成する各壁部が形成される。隔壁部１３の後壁面１３ｂ側には、第２の受容部１２を構成する各壁部と、電気接触端子３が収容される突出壁部１６（図５参照）と、が形成される。
【００１３】
第１の受容部１１は、Ｚ軸方向正側から（すなわち、上方から）支持部材６を受容可能な構成を有している。第１の受容部１１は、Ｚ軸方向正側へ開口した構成を有している。また、第１の受容部１１は、受容した支持部材６をカバー部材７と挟み込むことによって固定可能な構成を有している。具体的には、図４に示すように、第１の受容部１１は、底壁部２１と、一対の側壁部２２，２２と、一対の座部２３，２３と、内壁部２４と、一対のホールド部２６，２６と、を備えている。底壁部２１、一対の側壁部２２，２２、一対の座部２３，２３、及び内壁部２４は、隔壁部１３の前壁面１３ａからＸ軸方向正側へ向かって延びる。各壁部の長さは特に限定されないが、本実施形態では、底壁部２１、一対の側壁部２２，２２、及び一対の座部２３，２３は、前壁面１３ａからＸ軸方向正側へ同寸法で突出している。また、内壁部２４は、底壁部２１、一対の側壁部２２，２２、一対の座部２３，２３よりも短い寸法で前壁面１３ａから突出している。
【００１４】
底壁部２１は、隔壁部１３の下縁部に沿ってＹ軸方向に広がっている。なお、各壁部の幅や高さは特に限定されないが、底壁部２１のＹ軸方向における両端部は、隔壁部１３のＹ軸方向における両端部よりも内側に配置されている。また、一対の側壁部２２，２２は、底壁部２１のＹ軸方向における両縁部に沿って延びており、Ｚ軸方向正側へ向かって立ち上がっている。また、一対の座部２３，２３は、各側壁部２２，２２の上端部からＹ軸方向における外側へ向かって広がっている。座部２３，２３のＹ軸方向における外側の端部は、隔壁部１３のＹ軸方向における外側の両端部の位置まで延びている。
【００１５】
また、座部２３，２３の上面によって構成される座面２３ａ，２３ａは、隔壁部１３の上縁部よりもＺ軸方向負側の位置（すなわち低い位置）に形成されている。座面２３ａ，２３ａは、支持部材６が第１の受容部１１に受容された際に、支持部材６のＹ軸方向における両縁部の下面と接触して支持する面として機能する。なお、底壁部２１の上面２１ａは、座面２３ａ，２３ａよりもＺ軸方向負側の位置に形成されている。内壁部２４は、隔壁部１３の前壁面１３ａにおけるＹ軸方向中央位置から真っ直ぐにＸ軸方向正側へ延びている。また、内壁部２４は、底壁部２１の上面２１ａからＺ軸方向正側へ突出している。内壁部２４の上端部２４ａは、座面２３ａとＺ軸方向に同位置に配置されてよい。ただし、各壁部の高さ位置等は特に限定されず、支持部材６や電気接触端子３の構成に従って、適宜変更してもよい。
【００１６】
一対のホールド部２６，２６は、座部２３，２３のＹ軸方向外側の端部に形成されている。ホールド部２６，２６は、座面２３ａ，２３ａからＺ軸方向正側へ向かって延びる矩形の枠状部材によって構成されている。ホールド部２６，２６には、Ｙ軸方向に貫通する矩形状の貫通孔２６ａ，２６ａが形成されている。ホールド部２６，２６は、後述のカバー部材７の係合部が係止される。
【００１７】
第２の受容部１２は、Ｘ軸方向負側から嵌合用コネクタ１０２を受容可能な構成を有している。第２の受容部１２は、Ｘ軸方向負側へ開口した構成を有している。また、第２の受容部１２は、受容した嵌合用コネクタ１０２と嵌合可能な構成を有している。具体的には、図３及び図５に示すように、第２の受容部１２は、Ｘ軸方向における負側から正側を見た時に、後述の突出壁部１６を取り囲むように配置され、Ｘ軸方向へ延びる周壁部３０を備える。周壁部３０は、底壁部３１と、一対の側壁部３２，３３と、上壁部３４と、を備えている。底壁部３１、一対の側壁部３２，３３、及び上壁部３４は、隔壁部１３の後壁面１３ｂからＸ軸方向負側へ向かって延びる。一対の側壁部３２は、底壁部３１及び上壁部３４よりもＸ軸方向負側へ突出するように延びている。
【００１８】
底壁部３１は、隔壁部１３の下縁部に沿ってＹ軸方向に広がっている。上壁部３４は、隔壁部１３の上縁部に沿ってＹ軸方向に広がっている。なお、底壁部３１及び上壁部３４のＹ軸方向における両端部は、隔壁部１３のＹ軸方向における両端部と同位置に配置されている。また、一対の側壁部３２，３３は、底壁部３１及び上壁部３４のＹ軸方向における両縁部に沿って延びており、Ｚ軸方向に広がっている。このような構成により、底壁部３１、側壁部３２，３３及び上壁部３４で取り囲まれる空間の内部には、嵌合用コネクタ１０２を収容するための収容空間３９が形成される。
【００１９】
また、Ｙ軸方向正側の側壁部３３には、Ｘ軸方向における負側から正側を見たときに、収容空間３９側の内面からＹ軸方向正側へ矩形状に窪む凹部３８が形成されている。当該凹部３８は、側壁部３３のＸ軸方向負側の先端部３３ａから隔壁部１３の後壁面１３ｂまで延びている。また、凹部３８には、Ｙ軸方向へ貫通すると共にＸ軸方向へ延びるスリット部３７が形成される。当該スリット部３７は、嵌合用コネクタ１０２が収容空間３９に収容されたときに、嵌合用コネクタ１０２の側面に形成された爪部１０３と嵌合する。
【００２０】
上壁部３４の上面３４ａには、Ｙ軸方向における両端部に一対のホールド部３６，３６が形成される。ホールド部３６，３６は、上面３４ａのＹ軸方向の両端部のうち、Ｘ軸方向負寄りの位置に形成されている。ホールド部３６，３６は、上面３４ａからＺ軸方向正側へ向かって延びる矩形の枠状部材によって構成されている。ホールド部３６，３６には、Ｙ軸方向に貫通する矩形状の貫通孔３６ａ，３６ａが形成されている。ホールド部３６，３６は、後述のカバー部材７の係合部が係止される。
【００２１】
図５に示すように、突出壁部１６は、隔壁部１３の後壁面１３ｂから、第２の受容部１２内に向かって、Ｘ軸方向におけるＸ軸方向負側へ突出する。突出壁部１６は、Ｘ軸方向から見たときに、Ｙ軸方向へ延びる長方形状の形状を有している。また、突出壁部１６の四方の側面は、底壁部３１、側壁部３２，３３及び上壁部３４のそれぞれから内側へ離間した位置に配置される。すなわち、突出壁部１６の四方の側面と、底壁部３１、側壁部３２，３３及び上壁部３４との間には、隙間が形成される。また、突出壁部１６は、周壁部３０よりも突出量が少ないため、突出壁部１６の先端１６ａは、周壁部３０の先端よりもＸ軸方向正側に配置されている。
【００２２】
突出壁部１６及び隔壁部１３には、Ｘ軸方向に貫通し、嵌合用コネクタ１０２の端子部１１０を受容可能なチャネル部４０が複数形成される。チャネル部４０は、突出壁部１６の先端１６ａから隔壁部１３の前壁面１３ａまで延びる貫通孔によって構成されている。チャネル部４０は、突出壁部１６において、Ｙ軸方向に複数（本実施形態では４つ）形成されている。なお、以降の説明においては、Ｙ軸方向負側から正側へ向かって順に「チャネル部４０Ａ」、「チャネル部４０Ｂ」、「チャネル部４０Ｃ」、「チャネル部４０Ｄ」と称する場合がある。複数のチャネル部４０は、Ｙ軸方向において互いに離間するように形成されている。すなわち、一のチャネル部４０とそれと隣合う他のチャネル部４０との間は、横壁部４２で隔てられる。また、Ｙ軸方向における両端に配置されるチャネル部４０のＹ軸方向外側の端部も横壁部４２で封止される。なお、チャネル部４０は、第１の受容部１１の底壁部２１の上面２１ａよりも高い位置に配置される（図４参照）。
【００２３】
突出壁部１６の先端１６ａには、チャネル部４０の開口部４１が形成されている。開口部４１は、矩形状の形状をなしている。開口部４１の周縁部には、テーパー４３が形成されている。周縁部はＺ軸方向に水平に対向する一対の辺部と、Ｙ軸方向に水平に対向する一対の辺部と、を有している。テーパー４３は四方の辺部すべてに形成されている。ただし、テーパー４３は、四方の辺部のうち何れかに形成されていればよく、あるいは、テーパー４３が形成されていなくともよい。
【００２４】
隔壁部１３の前壁面１３ａには、チャネル部４０の矩形状の開口部が形成される。当該開口部の周縁部のうち、Ｚ軸方向負側の辺部４４（図４及び図５参照）は、前壁面１３ａよりも奥まった位置、すなわちＸ軸方向負側に配置されてよい。また、チャネル部４０の内面のうち、Ｚ軸方向正側の内面は、前壁面１３ａから突出壁部１６の先端１６ａへ向かって斜め下方へ傾斜するような傾斜部４６（図５参照）を有していてよい。
【００２５】
［支持部材］
主に図５、図６及び図７を参照して、支持部材６の構成について説明する。支持部材６は、ケーブル１０１を支持可能な部材である。支持部材６は、ベース部材４の第１の受容部１１に受容されると共に、当該第１の受容部１１から分離可能な部材である。支持部材６の形状は、第１の受容部１１で受容可能である限り特に限定されないが、本実施形態では、支持部材６は、全体として矩形板状の形状を有している。
【００２６】
特に支持部材６の長さ、幅、及び高さは限定されないが、本実施形態では、支持部材６が第１の受容部１１に受容された状態において、支持部材６のＸ軸方向正側の端面６ａは、底壁部２１のＸ軸方向正側の端面２１ｂと略一致するように配置される。また、支持部材６のＸ軸方向負側の端面６ｂは、底壁部２１のＸ軸方向正側の端面２１ｂと略一致するように配置される。支持部材６のＹ軸方向における両端部５１，５１は、第１の受容部１１の座部２３，２３の座面２３ａ，２３ａ上に配置される。すなわち、支持部材６の下面６ｃは、座面２３ａ，２３ａの高さと等しい位置に配置される。従って、支持部材６の下面６ｃは、底壁部２１の上面２１ａからＺ軸方向正側へ離間した位置に配置される。このような構成により、第１の受容部１１に受容された状態の支持部材６は、底壁部２１から上方へ離間した位置に配置される。第１の受容部１１に受容された状態の支持部材６と底壁部２１との間には、底側空間部７２が形成される。支持部材６は、Ｘ軸方向正側の端部からＺ軸方向負側へ向かって延びる突出部５４を備えている。突出部５４は、第１の受容部１１の側壁部２２，２２及び底壁部２１で構成される凹部へ上方から下方へ向かって入り込む形状を有している。
【００２７】
支持部材６の上面６ｄには、Ｘ軸方向に沿って延びる溝部５２がＹ軸方向（幅方向）に複数（本実施形態ではケーブル１０１の本数に合わせて四つ）形成される。溝部５２は、Ｘ軸方向から見たときに円弧状をなしている。支持部材６の上面６ｄは、第２の受容部１２の上面３４ａとＺ軸方向において略同位置に配置されていてよい。なお、以降の説明においては、Ｙ軸方向負側から正側へ向かって順に「溝部５２Ａ」、「溝部５２Ｂ」、「溝部５２Ｃ」、「溝部５２Ｄ」と称する場合がある。
【００２８】
支持部材６は、電気接触端子３の第１の接触部８１を挿通させるＺ軸方向（上下方向）に延びる貫通孔５３を有する。貫通孔５３は、複数の溝部５２のそれぞれに対応して複数（本実施形態では四つ）形成される。貫通孔５３は、Ｙ軸方向に広がるスリット状の孔である。なお、以降の説明においては、Ｙ軸方向負側から正側へ向かって順に「貫通孔５３Ａ」、「貫通孔５３Ｂ」、「貫通孔５３Ｃ」、「貫通孔５３Ｄ」と称する場合がある。すなわち、溝部５２Ａに対応する位置に貫通孔５３Ａが形成され、溝部５２Ｂに対応する位置に貫通孔５３Ｂが形成され、溝部５２Ｃに対応する位置に貫通孔５３Ｃが形成され、溝部５２Ｄに対応する位置に貫通孔５３Ｄが形成される。貫通孔５３Ａ，５３Ｂ，５３Ｃ，５３Ｄは、支持部材６のＸ軸方向における略中央位置において、千鳥状に配置される。本実施形態では、貫通孔５３Ａ及び貫通孔５３ＣがＸ軸方向における正側の位置に配置され、貫通孔５３Ｂ及び貫通孔５３ＤがＸ軸方向における負側の位置に配置される。ただし、貫通孔５３の形状や位置は特に限定されない。なお、支持部材６のＹ軸方向正側の端部５１には、後述のカバー部材７のフック部を挿通させるための一対の貫通孔５６，５６が形成されている。
【００２９】
［カバー部材］
カバー部材７は、Ｚ軸方向正側からベース部材４に取り付け可能な部材である。カバー部材７は、第１の受容部１１に受容された支持部材６を覆う部材である。また、カバー部材７は、支持部材６及びベース部材４との間で、ケーブル１０１を挟み込む部材としても機能する。カバー部材７は、Ｘ軸方向において第１の受容部１１、隔壁部１３、及び第２の受容部１２と対応する位置を覆うように延びている。カバー部材７は、ＸＹ方向に広がる平板状の上壁部６１と、上壁部６１のＹ軸方向における両端からＺ軸方向負側へ向けて延びる側壁部６２，６２と、上壁部６１のＸ軸方向における負側の端部に形成される蓋部６３と、を備えている。
【００３０】
上壁部６１は、支持部材６がベース部材４の第１の受容部１１に受容されている状態において、第２の受容部１２の上面３４ａ及び支持部材６の上面６ｄを覆うように形成されている。側壁部６２，６２は、上壁部６１のＹ軸方向における両端部に沿って、Ｘ軸方向に延びている。なお、側壁部６２，６２は、ベース部材４のホールド部２６，２６及びホールド部３６，３６に対応する位置においてＹ軸方向内側へ凹状に窪んでいる。ただし、側壁部６２，６２の形状は特に限定されない。また、側壁部６２，６２のうち、第１の受容部１１のホールド部２６，２６に対応する位置には、Ｙ軸方向外側へ向かって突出する係止部６４，６４が形成される。側壁部６２，６２のうち、第２の受容部１２のホールド部３６，３６に対応する位置には、Ｙ軸方向外側へ向かって突出する係止部６６，６６が形成される。カバー部材７がベース部材４に取り付けられた状態（例えば図１及び図２に示す状態）では、係止部６４，６４は、ホールド部２６，２６の貫通孔２６ａ，２６ａ内に配置されると共に、当該貫通孔２６ａ，２６ａの上側の縁部に係止される。係止部６６，６６は、ホールド部３６，３６の貫通孔３６ａ，３６ａ内に配置されると共に、当該貫通孔３６ａ，３６ａの上側の縁部に係止される。
【００３１】
また、図６に示すように、カバー部材７の一方（ここではＹ軸方向負側）の側壁部６２は、連結部６７，６７を介して、支持部材６の側面６ｅと連結されている。具体的には、連結部６７，６７は、側壁部６２のうち、係止部６４のＸ軸方向における両側に設けられる。連結部６７は、Ｚ軸方向に延びる帯状の部材（一部帯状でなくともよい）であり、支持部材６の側面６ｅに接続されている。カバー部材７の他方（ここではＹ軸方向正側）の側壁部６２には、Ｚ軸方向負側へ延びるフック部６８，６８が形成されている。フック部６８，６８は、側壁部６２のうち、係止部６４のＸ軸方向における両側に設けられる。支持部材６とカバー部材７とを閉じた状態において、フック部６８，６８は支持部材６の貫通孔５６，５６に挿入される。また、貫通孔５６に挿入されたフック部６８，６８の先端の係止部６８ａ，６８ａは、貫通孔５６，５６の下面側の縁部に係合する。なお、図６では、説明の便宜上、連結部６７，６７と支持部材６との連結が解除された状態で、支持部材６とカバー部材７とがＺ軸方向に離間した様子が示されている。実際の作業時においては、支持部材６は、カバー部材７に対して連結部６７，６７を支点として回動することによって開閉可能に構成される。このように、部品としてはカバー部材７と支持部材６は別の部品であっても、製造時においては一回の成形で連結部と共に同時に成形される部材であってもよい。ただし、連結部６７，６７が設けられず、支持部材６とカバー部材７とが分離可能であってよい。
【００３２】
カバー部材７の上壁部６１の下面には、Ｘ軸方向に沿って延びる溝部６９がＹ軸方向（幅方向）に複数（本実施形態ではケーブル１０１の本数に合わせて四つ）形成される。溝部６９は、Ｘ軸方向から見たときに円弧状をなしている。なお、以降の説明においては、Ｙ軸方向負側から正側へ向かって順に「溝部６９Ａ」、「溝部６９Ｂ」、「溝部６９Ｃ」、「溝部６９Ｄ」と称する場合がある。溝部５２Ａに対応する位置に溝部６９Ａが形成され、溝部５２Ｂに対応する位置に溝部６９Ｂが形成され、溝部５２Ｃに対応する位置に溝部６９Ｃが形成され、溝部５２Ｄに対応する位置に溝部６９Ｄが形成される。カバー部材７をベース部材４に取り付けた状態においては、上壁部６１の下面と支持部材６及びカバー部材７の上面とは、Ｚ軸方向に互いに離間している。カバー部材７と第２の受容部１２との間、及びカバー部材７と支持部材６との間には、ケーブル１０１を収容可能な上側空間部７１が形成される。
【００３３】
蓋部６３は、上壁部６１のＸ軸方向負側の端部に沿ってＹ軸方向に広がる。蓋部６３は、カバー部材７のＸ軸方向負側の端部に固定されている。このように、蓋部６３がカバー部材７に固定されている時は、ケーブル１０１は、蓋部６３よりも外側へ延びることができない。従って、図１１（ａ），（ｂ）に示すように、蓋部６３が設けられている場合、ケーブル１０１は、コネクタ１００に対してＸ軸方向における一方へのみ延びた状態となる。一方、図１１（ｃ）に示すように、蓋部６３が除去された場合、ケーブル１０１は、コネクタ１００に対してＸ軸方向における両方へ延びることが可能な状態となる。
【００３４】
［ハウジングに形成される空間］
上述のようなカバー部材７に対して支持部材６及びカバー部材７が取り付けられることによって、ハウジング２内には複数の空間が形成される。主に図５に示すように、ハウジング２は、上側空間部７１と、底側空間部７２と、貫通孔５３と、垂直部７３と、チャネル部４０と、を画成している。上側空間部７１は、Ｘ軸方向に延びると共にＹ軸方向に広がり、ケーブル１０１を収容する空間である。底側空間部７２は、上側空間部７１より下側に配置され、Ｘ軸方向へ延びる空間である。底側空間部７２は、底壁部２１の上面２１ａ及び支持部材６の下面６ｃに沿ってＸＹ方向に広がる空間である。なお、底側空間部７２は、内壁部２４（図４参照）によって分断される。貫通孔５３は、Ｚ軸方向（上下方向）に延びて、上側空間部７１及び底側空間部７２を連通し、Ｙ軸方向へ複数形成される空間である。垂直部７３は、底側空間部７２とチャネル部４０との間を連通させる、Ｚ軸方向へ延びる空間である。垂直部７３は、底壁部２１の上面２１ａ、辺部４４、支持部材６の端面６ｂ、及びチャネル部４０の傾斜部４６に囲まれる空間によって形成される。チャネル部４０は、底側空間部７２のＸ軸方向における正側の端部から、突出壁部１６の先端１６ａへ向かってＸ軸方向正側へ貫通する空間である。
【００３５】
［電気接触端子］
電気接触端子３は、ケーブル１０１及び嵌合用コネクタ１０２の端子部１１０（図９及び図１０参照）に接触可能な複数の金属部材である。主に図５、図７及び図８に示すように、複数（本実施形態では四つ）の電気接触端子３がＹ軸方向に並べられている。以降の説明においては、Ｙ軸方向負側から正側へ向かって順に「電気接触端子３Ａ」、「電気接触端子３Ｂ」、「電気接触端子３Ｃ」、「電気接触端子３Ｄ」と称する場合がある。溝部５２Ａ、貫通孔５３Ａ、及びチャネル部４０Ａに対応する位置に電気接触端子３Ａが配置される。溝部５２Ｂ、貫通孔５３Ｂ、及びチャネル部４０Ｂに対応する位置に電気接触端子３Ｂが配置される。溝部５２Ｃ、貫通孔５３Ｃ、及びチャネル部４０Ｃに対応する位置に電気接触端子３Ｃが配置される。溝部５２Ｄ、貫通孔５３Ｄ、及びチャネル部４０Ｄに対応する位置に電気接触端子３Ｄが配置される。電気接触端子３は、第１の接触部８１と、第２の接触部８２と、中継部８３と、を備えている。
【００３６】
第１の接触部８１は、電気接触端子３のＸ軸方向における正側に設けられ、支持部材６に挿入されると共に当該支持部材６で支持されたケーブル１０１と接触可能な部分である。第１の接触部８１は、Ｘ軸方向へ延びる中継部８３の正側の一端側からＺ軸方向正側（上方）へ向かって屈曲する。第１の接触部８１の下端部は底側空間部７２に配置され、第１の接触部８１の上端部は上側空間部７１に配置され、第１の接触部８１の下端部と上端部との間の部分は貫通孔５３内に配置される。第１の接触部８１の上端部には、一対の刃部８４が形成されている。一対の刃部８４は、Ｚ軸方向に延びると共に、Ｙ軸方向に互いに離間して配置されている。従って、一対の刃部８４同士の間には、スリット部８６が形成される。刃部８４及びスリット部８６は、支持部材６の溝部５２から上方へ突出している。一対の刃部８４は、支持部材６の溝部５２に配置されたケーブル１０１の被覆を破ると共に、当該ケーブル１０１の内部の導体部と接触しながらスリット部８６で挟み込む。これによって、第１の接触部８１がケーブル１０１と電気的に接続される。
【００３７】
第２の接触部８２は、Ｘ軸方向における負側に設けられ、嵌合用コネクタ１０２の端子部１１０と接触可能な部分である。第２の接触部８２は、チャネル部４０内に配置されてＸ軸方向へ延びると共に、Ｘ軸方向における正側の端部はＺ軸方向負側へ屈曲して垂直部７３に配置される。具体的には、第２の接触部８２は、チャネル部４０の先端付近に配置される先端部８２ａと、Ｘ軸方向負側から正側へ向けて上方へ傾斜する傾斜部８２ｂと、チャネル部４０の上側の傾斜部４６に当接される当接部８２ｃと、当接部８２ｃのＸ軸方向正側の端部から下方へ屈曲して垂直部７３に配置される屈曲部８２ｄと、を備える。このような構成により、チャネル部４０に嵌合用コネクタ１０２の端子部１１０が挿入された場合、第２の接触部８２の先端部８２ａが当該端子部１１０と接触すると共に上方へ押しのけられる（特に図５参照）。それに伴って、第２の接触部８２は、傾斜部４６と当接する当接部８２ｃを支点として、先端部８２ａ及び傾斜部８２ｂが上方へ移動するように変形する。従って、第２の接触部８２が発生する弾性力により、端子部１１０に対して先端部８２ａが十分な押圧力で押し付けられる。
【００３８】
中継部８３は、第２の接触部８２からＸ軸方向における正側へ延びる部分である。また、中継部８３のＸ軸方向正側の端部からは、第１の接触部８１が上方へ屈曲している。このような構成により、中継部８３は、第１の接触部８１と第２の接触部８２とを接続する。中継部８３は、底側空間部７２内に配置される。中継部８３は、Ｘ軸方向へ真っ直ぐ延びる本体部８３ａと、本体部８３ａのＸ軸方向負側の端部において第２の接触部８２のＹ軸方向における位置を調整する位置調整部８３ｂと、を備える。
【００３９】
ここで、図８を参照して、各電気接触端子３Ａ，３Ｂ，３Ｃ，３Ｄの位置関係について説明する。本実施形態においては、複数のケーブル１０１のピッチに比して、嵌合用コネクタ１０２に接続される複数のケーブル１１１のピッチの方が小さい。従って、各電気接触端子３の第１の接触部８１のＹ軸方向のピッチに比して、第２の接触部８２のピッチの方が小さい。
【００４０】
具体的には、図８に示すように、ケーブル１０１Ａ，１０１Ｂ，１０１Ｃ，１０１Ｄの中心線を「ＣＬ１Ａ，ＣＬ１Ｂ，ＣＬ１Ｃ，ＣＬ１Ｄ」とした場合、電気接触端子３Ａ，３Ｂ，３Ｃ，３Ｄの第１の接触部８１のＹ軸方向の中央位置が中心線ＣＬ１Ａ，ＣＬ１Ｂ，ＣＬ１Ｃ，ＣＬ１Ｄと略一致するように配置される。なお、中心線ＣＬ１Ａ，ＣＬ１Ｂ，ＣＬ１Ｃ，ＣＬ１Ｄのピッチは図において「Ｐ１」で示される。
【００４１】
嵌合用コネクタ１０２のケーブル１１１Ａ，１１１Ｂ，１１１Ｃ，１１１Ｄの中心線を「ＣＬ２Ａ，ＣＬ２Ｂ，ＣＬ２Ｃ，ＣＬ２Ｄ」とした場合、電気接触端子３Ａ，３Ｂ，３Ｃ，３Ｄの第２の接触部８２のＹ軸方向の中央位置が中心線ＣＬ２Ａ，ＣＬ２Ｂ，ＣＬ２Ｃ，ＣＬ２Ｄと略一致するように配置される。なお、中心線ＣＬ２Ａ，ＣＬ２Ｂ，ＣＬ２Ｃ，ＣＬ２Ｄのピッチは図において「Ｐ２」で示される。ピッチＰ２は、ピッチＰ１よりも小さい。すなわち、電気接触端子３Ａ，３Ｂ，３Ｃ，３Ｄの第２の接触部８２は、全体的に第１の接触部８１よりも、ハウジング２の中心線ＣＬ３寄りの位置に配置される。従って、電気接触端子３Ａ，３Ｂ，３Ｃ，３Ｄの中継部８３の位置調整部８３ｂは、本体部８３ａから第２の接触部８２へ向けて、中心線ＣＬ３側へ傾斜するように設けられる。中心線ＣＬ３に対して外側に配置される電気接触端子３Ａ，３Ｄの位置調整部８３ｂは、内側に配置される電気接触端子３Ｂ，３Ｃの位置調整部８３ｂよりも傾斜が大きい。
【００４２】
また、以上のような構成により、支持部材６の溝部５２Ａ，５２Ｂ，５２Ｃ，５２Ｄ、貫通孔５３Ａ，５３Ｂ，５３Ｃ，５３Ｄ、及びカバー部材７の溝部６９Ａ，６９Ｂ，６９Ｃ，６９Ｄのピッチに比して、チャネル部４０Ａ，４０Ｂ，４０Ｃ，４０Ｄのピッチが小さくなる。
【００４３】
［嵌合用コネクタ］
図９（ａ）に示すように、嵌合用コネクタ１０２は、ハウジング１２０と、ケーブル１１１に電気的に接続される端子部１１０と、を備えている。ハウジング１２０は扁平な矩形箱状の構成を有している。ハウジング１２０のうち、コネクタ１００のベース部材４の第２の受容部１２に受容される側の端部には矩形状の開口部１２１が設けられる。開口部１２１には、複数（本実施形態では四つ）の端子部１１０が並べられている。当該開口部１２１内には、ベース部材４の第１の受容部１１の突出壁部１６が挿入される。ハウジング１２０のうち開口部１２１の反対側の端部には、端子部１１０と接触するケーブル１１１を支持するための支持部１２３（図１０参照）が形成される。ケーブル１１１は、支持部１２３とカバー部材１２２とで挟まれる。なお、図９（ｂ）に示すように、端子部１１０は、開口部１２１側において真っ直ぐに延びる第２の接触部１１２と、支持部１２３側の端部において上方へ屈曲する第１の接触部１１３と、第２の接触部１１２及び第１の接触部１１３とを接続する中継部１１４と、を有している。第１の接触部１１３は、前述の電気接触端子３の刃部８４及びスリット部８６と同趣旨の刃部１１５及びスリット部１１６が形成される。これにより、支持部１２３で支持されたケーブル１１１と端子部１１０の第１の接触部１１３とが接触する。なお、ハウジング１２０のうち、端子部１１０の第１の接触部１１３とケーブル１１１が接触する部分は、カバー部材１２２で覆われている。また、ハウジング１２０の一方の側壁部には、ベース部材４の第１の受容部１１のスリット部３７に嵌合する爪部１０３が設けられる。
【００４４】
次に、本実施形態に係るコネクタ１００の作用・効果について説明する。
【００４５】
ベース部材４の第１の受容部１１に受容された支持部材６及びカバー部材７で支持されたケーブル１０１は、電気接触端子３の第１の接触部８１と接触する。ベース部材４の第２の受容部１２に受容された嵌合用コネクタ１０２の端子部１１０は、電気接触端子３の第２の接触部８２と接触する。これにより、ケーブル１０１と嵌合用コネクタ１０２とは、コネクタ１００に支持された状態で電気的に接続される。ここで、嵌合用コネクタ１０２を受容可能な第２の受容部１２の内部には、突出壁部１６が配置される。また、突出壁部１６及び隔壁部１３には、Ｘ軸方向に貫通し、嵌合用コネクタ１０２の端子部１１０を受容可能な複数のチャネル部４０が形成される。チャネル部４０には、複数の電気接触端子３の第２の接触部８２が収容される。このように構成された複数のチャネル部４０は、Ｙ軸方向において互いに離間するように形成される。すなわちチャネル部４０同士は突出壁部１６の横壁部４２によって互いに空間的に隔てられた状態となる。従って、それぞれのチャネル部４０に受容された嵌合用コネクタ１０２の端子部１１０は、突出壁部１６の横壁部４２によって互いに隔てられる。このような構成により、各端子部１１０同士が電気的に接触または近接することが防止され、ケーブル１０１と嵌合用コネクタ１０２との電気的な接続の確実性を向上できる。
【００４６】
特に、本実施形態のように、ケーブル１０１に比して、嵌合用コネクタ１０２のケーブル１１１が細くなり、ピッチも小さくなる場合、端子部１１０のピッチも小さくなる。従って、コネクタ１００の電気接触端子３と端子部１１０を接触させる際に、他の電気接触端子３や端子部１１０と接触する可能性が上がってしまう。しかし、本実施形態に係るコネクタ１００の構造を採用することで、上述で説明したように各端子部１１０同士が電気的に接触または近接することが防止される。なお、本実施形態の構造によれば、電気接触端子３を突出壁部１６の内部に収容しておくことができるため、使用者の指が電気接触端子３に接触することも防止することができる。特に、ケーブル１０１と嵌合用コネクタ１０２との接続作業を電源を落とさずに行うことが要請される場合がある。当該場合においては、上述のような効果が特に顕著に奏される。
【００４７】
以上説明したように、本発明の一側面に係るコネクタは、ケーブルと嵌合用コネクタとを電気的に接続するコネクタであって、ケーブルを支持可能な支持部材と、長さ方向における一方側に設けられ、支持部材を受容可能な第１の受容部、及び長さ方向における他方側に設けられ、嵌合用コネクタを受容可能な第２の受容部を備えるベース部材と、上側からベース部材に取り付け可能であり、第１の受容部に受容された支持部材を覆うカバー部材と、ケーブル及び嵌合用コネクタの端子部に接触可能な複数の電気接触端子と、を備え、複数の電気接触端子は、長さ方向における一方側に設けられ、支持部材に挿入されると共に当該支持部材で支持されたケーブルと接触可能な第１の接触部と、長さ方向における他方側に設けられ、嵌合用コネクタの端子部と接触可能な第２の接触部と、を備え、ベース部材は、第１の受容部と第２の受容部との間に形成される隔壁部と、隔壁部から、第２の受容部内に向かって、長さ方向における他方側へ突出する突出壁部と、を備え、突出壁部及び隔壁部には、長さ方向に貫通し、嵌合用コネクタの端子部を受容可能な複数のチャネル部が形成され、複数のチャネル部は、長さ方向と直交する幅方向において互いに離間するように形成され複数のチャネル部には、複数の電気接触端子の第２の接触部が収容される。
【００４８】
このような側面においては、ベース部材の第１の受容部に受容された支持部材及びカバー部材で支持されたケーブルは、電気接触端子の第１の接触部と接触する。ベース部材の第２の受容部に受容された嵌合用コネクタの端子部は、電気接触端子の第２の接触部と接触する。これにより、ケーブルと嵌合用コネクタとは、コネクタに支持された状態で電気的に接続される。ここで、嵌合用コネクタを受容可能な第２の受容部の内部には、突出壁部が配置される。また、突出壁部及び隔壁部には、長さ方向に貫通し、嵌合用コネクタの端子部を受容可能な複数のチャネル部が形成される。チャネル部には、複数の電気接触端子の第２の接触部が収容される。このように構成された複数のチャネル部は、長さ方向と直交する幅方向において互いに離間するように形成される。すなわちチャネル部同士は突出壁部の壁によって互いに空間的に隔てられた状態となる。従って、それぞれのチャネル部に受容された嵌合用コネクタの端子部は、突出壁部の壁によって互いに隔てられる。このような構成により、各端子部同士が電気的に接触または近接することが防止され、ケーブルと嵌合用コネクタとの電気的な接続の確実性を向上できる。
【００４９】
また、他の側面に係るコネクタにおいて、突出壁部の先端には、チャネル部の開口部が形成されており、開口部の周縁部には、テーパーが形成されていてよい。このような構成により、仮に嵌合用コネクタの端子部とチャネル部の開口部との間の位置がずれており、端子部が開口部に挿入される際に、端子部と開口部の周縁部とが衝突した場合であっても、テーパーによって端子部は座屈することなく、スムーズに開口部へ案内される。これによって、例えば、嵌合用コネクタのケーブルが細いケーブルであって、端子部も細くなる場合であっても、当該端子部が座屈することを抑制できる。
【００５０】
また、他の側面に係るコネクタにおいて、第２の受容部は、長さ方向における他方側から一方側を見た時に、突出壁部を取り囲むように配置され、長さ方向へ延びる周壁部を備えてよい。このような構成により、電気接触端子が収容された突出壁部を周壁部で取り囲むことで、作業者の指等が電気接触端子に近接することを周壁部によってより確実に抑制することができる。
【００５１】
また、他の側面に係るコネクタにおいて、電気接触端子は、第２の接触部から長さ方向における一方側へ延びる中継部を備え、第１の接触部は、中継部の長さ方向における一端側から上方へ向かって屈曲し、支持部材は、第１の接触部を挿通させる上下方向に延びる貫通孔を有してよい。このような構成により、支持部材で支持した状態のケーブルをシンプルな構成で第１の接触部と接触させることができる。
【００５２】
また、他の側面に係るコネクタにおいて、第１の受容部は、隔壁部から長さ方向における一方側へ延びる底壁部を備え、第１の受容部に受容された状態の支持部材は、底壁部から上方へ離間した位置に配置され、第１の受容部に受容された状態の支持部材と底壁部との間には、底側空間部が形成されてよい。このような構成により、底側空間部を電気接触端子の一部を配置するためのスペースとして有効に活用することができる。
【００５３】
また、他の側面に係るコネクタにおいて、支持部材の上面には、長さ方向に沿って延びる溝部が幅方向に複数形成されてよい。このような構成により、支持部材の上面の溝部によってケーブルを支持することができる。
【００５４】
また、他の側面に係るコネクタにおいて、カバー部材は、長さ方向において第２の受容部と対応する位置まで延び、カバー部材と第２の受容部との間、及びカバー部材と支持部材との間には、ケーブルを収容可能な上側空間部が形成されてよい。このような構成により、カバー部材によって形成される上側空間部をケーブルを配置するためのスペースとして有効に利用することができる。
【００５５】
また、他の側面に係るコネクタは、ケーブルと嵌合用コネクタとを電気的に接続するコネクタであって、長さ方向における一方側から他方側へ延びるハウジングと、ケーブル及び嵌合用コネクタの端子部に接触可能な複数の電気接触端子と、を備え、ハウジングは、長さ方向に延びてケーブルを収容する上側空間部と、上側空間部より下側に配置され、長さ方向へ延びる底側空間部と、上下方向に延びて、上側空間部及び底側空間部を連通し、長さ方向と直交する幅方向へ複数形成される貫通孔と、底側空間部の長さ方向における他方側の端部から、当該長さ方向における他方側へ貫通する複数のチャネル部と、を画成し、複数のチャネル部は、幅方向において互いに離間するように形成され、複数の電気接触端子は、貫通孔を貫通すると共に上側空間部に突出する、ケーブルと接触可能な第１の接触部と、チャネル部に配置され、嵌合用コネクタの端子部と接触可能な第２の接触部と、第２の接触部から底側空間部内を長さ方向における一方側へ延びて、長さ方向における一端側から第１の接触部が上方へ向かって屈曲する中継部と、を備える。
【００５６】
このような側面においては、幅方向において互いに離間する複数のチャンネル部を有することにより、上述のコネクタと同様の作用・効果を得ることができる。また、ハウジングに上述のような各空間部を画成することで、電気接触端子を配置するためのスペースを有効に確保することができる。
【００５７】
本発明は、上述の実施形態に限定されるものではない。
【００５８】
例えば、上述の実施形態では一例としてコネクタがケーブルを四本接続する場合の例について説明したが、ケーブルの本数は限定されず複数本であれば何本であってもよい。
【００５９】
また、ベース部材、支持部材、カバー部材、電気接触端子の形状は、本発明の趣旨を有する範囲で適宜変更してよい。例えば、カバー部材の第１の受容部及び第２の受容部の各壁部の形状や長さは上述の実施形態に限定されず、また、一部の壁部を適宜省略してもよい。また、カバー部材の各壁部の形状や長さを適宜変更してよい。また、それらの部材の形状変更に合わせて、電気接触端子の形状を変更してもよい。
【符号の説明】
【００６０】
２…ハウジング、３…電気接触端子、４…ベース部材、６…支持部材、７…カバー部材、１１…第１の受容部、１２…第２の受容部、１３…隔壁部、１３ａ…前壁面、１３ｂ…後壁面、１６…突出壁部、１６ａ…先端、３０…周壁部、４０…チャネル部、４１…開口部、４３…テーパー、５２…溝部、５３…貫通孔、７１…上側空間部、７２…底側空間部、８１…第１の接触部、８２…第２の接触部、８３…中継部、１００…コネクタ、１０１…ケーブル、１０２…嵌合用コネクタ。
【図１】
2017183179.tif 000003
【図２】
2017183179.tif 000004
【図３】
2017183179.tif 000005
【図４】
2017183179.tif 000006
【図５】
2017183179.tif 000007
【図６】
2017183179.tif 000008
【図７】
2017183179.tif 000009
【図８】
2017183179.tif 000010
【図９】
2017183179.tif 000011
【図１０】
2017183179.tif 000012
【図１１】
2017183179.tif 000013